(57)【特許請求の範囲】
【請求項１】
上方に開口する略箱状をした本体ケーシングと、本体ケーシング内に収容されるガスバーナと、本体ケーシングの上方への開口を閉塞すると共に前記ガスバーナに対応する位置に該ガスバーナを挿通させる開口部を形成した天板部と、を備え、本体ケーシング又は／及び天板部の後端部に、天板部の本体ケーシングに対する上下方向の移動のみを規制し前後方向及び左右方向の規制しない上下移動規制部を設けると共に、上記天板部に形成した開口部と該開口部を挿通するガスバーナとを、天板部の本体ケーシングに対する前後方向及び左右方向の移動を規制して位置決めを行う位置決め手段として成ることを特徴とする加熱調理器。
【請求項２】
本体ケーシングの後側のフランジ部にネジ孔を有する後部固定板を突設すると共に、天板部の後枠を下方に押す固定具をその挿通孔を介してネジをネジ孔に螺着することで固定して上下移動規制部を構成して成ることを特徴とする請求項１記載の加熱調理器。
【請求項３】
天板部の後枠の固定具が固定される部分の上方を覆い後方に開口する化粧カバーを設けて成ることを特徴とする請求項２記載の加熱調理器。
【発明の詳細な説明】
【技術分野】
【０００１】
本発明は、加熱調理器に関するものである。
【背景技術】
【０００２】
従来より、上方に開口する本体ケーシングに、本体ケーシングの上端開口を閉塞する天板部を載置固定してなる加熱調理器が知られている（例えば特許文献１参照）。
【０００３】
これは主に、キッチンカウンターに形成した穴に嵌め込んで装備されるドロップインタイプのもので、本体ケーシングは、上方に開口する略箱状をした本体箱部と、本体箱部の上端開口縁から外側に連設したフランジ部とからなり、本体箱部がキッチンカウンターに形成した穴に収容されると共に、フランジ部がキッチンカウンターの穴の周縁上面に載置される。天板部は、トッププレートを枠で囲んで形成してあり、本体ケーシング上に載置され、本体ケーシング内に設置したガスバーナをトッププレートに形成した開口部に挿通させた状態で、天板部の枠の一部を本体ケーシングのフランジ部の一部にネジ止めにより固定するものである。
【特許文献１】特開２００４−１７７０９９号公報
【発明の開示】
【発明が解決しようとする課題】
【０００４】
上記従来の加熱調理器にあっては、天板部をネジ止めにより本体ケーシングに固定するため、天板部の本体ケーシングに対する前後方向、左右方向、上下方向の移動が規制されて、完全に位置決めされた状態で固定される。また、天板部のトッププレートの開口部をガスバーナが挿通するが、通常は開口部の内径はガスバーナの外径と同じか若干大きい程度に形成するため、ガスバーナによっても天板部は前後方向及び左右方向が位置決めされる。
【０００５】
このため、本体ケーシングと天板部の構成部品の寸法精度（寸法のばらつき）が悪いと、天板部の本体ケーシングへの取り付けが行い難くなってしまうものであった。
【０００６】
本発明は上記従来の問題点に鑑みて発明したものであって、その目的とするところは、天板部のトッププレートの開口部を本体ケーシングのガスバーナが挿通することで前後方向及び左右方向が位置決めされるものにおいて、天板部の本体ケーシングへの取付部において前後方向及び左右方向が位置決めされてしまい、前記開口部及びガスバーナによる前後方向及び左右方向の位置決めに加えて位置決めが行われ、寸法精度が過剰に要求されてしまうことのない加熱調理器を提供することを課題とするものである。
【課題を解決するための手段】
【０００７】
上記課題を解決するために請求項１に係る発明は、上方に開口する略箱状をした本体ケーシング１と、本体ケーシング１内に収容されるガスバーナ３０と、本体ケーシング１の上方への開口を閉塞すると共に前記ガスバーナ３０に対応する位置に該ガスバーナ３０を挿通させる開口部２０ａを形成した天板部２と、を備え、本体ケーシング１又は／及び天板部２の後端部に、天板部２の本体ケーシング１に対する上下方向の移動のみを規制し前後方向及び左右方向の規制しない上下移動規制部５を設けると共に、上記天板部２に形成した開口部２０ａと該開口部２０ａを挿通するガスバーナ３０とを、天板部２の本体ケーシング１に対する前後方向及び左右方向の移動を規制して位置決めを行う位置決め手段として成ることを特徴とするものである。
【０００８】
このような構成とすることで、天板部２の本体ケーシング１への取付部において上下方向の移動のみを規制して前後方向及び左右方向の規制が行われず、開口部２０ａ及びガスバーナ３０による前後方向及び左右方向の位置決め以外に前後方向及び左右方向の位置決めが行われないため、寸法精度が過剰に要求されるのを防止することができる。
【０００９】
また、請求項２に係る発明は、請求項１に係る発明において、本体ケーシング１の後側のフランジ部１２にネジ孔５１ｃを有する後部固定板５１を突設すると共に、天板部２の後枠２１ｂを下方に押す固定具５２をその挿通孔５２ｃを介してネジ５３をネジ孔５１ｃに螺着することで固定して上下移動規制部５を構成して成ることを特徴とするものである。
【００１０】
このような構成とすることで、天板部２の後端部を本体ケーシング１の後側のフランジ部１２に載置した状態で、本体ケーシング１の後部固定板５１に固定具５２をネジ５３で固定する際の挿通孔５２ｃとネジ孔５１ｃの前後左右方向の位置合わせが天板部２の位置によらず容易に行えるから、作業性が良いものである。
【００１１】
また、請求項３に係る発明は、請求項２に係る発明において、天板部２の後枠２１ｂの固定具５２が固定される部分の上方を覆い後方に開口する化粧カバー２４を設けて成ることを特徴とするものである。
【００１２】
このような構成とすることで、化粧カバー２４により固定具５２を取り付けた部分が見えず美観が損なわれないと共に、後方より固定具５２を取り付ける作業を行うことができて作業性が良いものである。
【発明の効果】
【００１３】
本発明にあっては、天板部の本体ケーシングへの取付部において上下方向の移動のみを規制して前後方向及び左右方向の規制が行われず、開口部及びガスバーナによる前後方向及び左右方向の位置決め以外に前後方向及び左右方向の位置決めが行われないため、寸法精度が過剰に要求されてしまうことがなく、高精度の加工を行うことによる製造コストの増大を防止することができる。
【発明を実施するための最良の形態】
【００１４】
以下、本発明の一実施形態について添付図面に基づいて説明する。
【００１５】
加熱調理器（本実施形態ではガスこんろであり、以下ガスこんろとして説明する）は、図１乃至図３に示すように、外郭を構成する本体ケーシング１に、加熱手段としてガスバーナ３０を備えたガスこんろ部３を備え、システムキッチンに装備されるドロップインタイプのもので、図１、図２に示すようにキッチンカウンターＫに形成した穴Ｈに嵌め込んで装備される。
【００１６】
本体ケーシング１は、図２、図４に示すように上方に開口する略箱状をした本体箱部１１と、本体箱部１１の上端部の開口縁から外側に連設したフランジ部１２とからなる。本体箱部１１の底面部及び側面部にはガスバーナ３０に燃料ガスを供給する燃料供給路としてのガス管が挿通される開口や、ガスバーナ３０に二次空気を供給するための開口が適宜形成してある。
【００１７】
本体ケーシング１内にはガスこんろ部３が複数配設されるもので、本実施形態では本体ケーシング１内に３口のガスこんろ部３が配設され、これら３口のガスこんろ部３は上面の手前側の左側、右側、及び上面の後側の左右方向の中央部にそれぞれ配設されている。また、本体ケーシング１の上端部にはトッププレート２０を備えた天板部２が設けられる。
【００１８】
天板部２は、図１、図２、図５に示すように金属製の枠２１と、この枠２１に固定されるガラス板であるトッププレート２０とからなる。この天板部２は、本体ケーシング１のフランジ部１２に載置され、本体ケーシング１の上方への開口を閉塞する。また、天板部２のトッププレート２０には、該天板部２を本体ケーシング１のフランジ部１２に載置した際に各ガスこんろ部３のガスバーナ３０に対応する位置に、ガスバーナ３０を挿通させて天板上に露出させるための開口部２０ａが形成してある。この開口部２０ａは、後述するが、天板部２の本体ケーシング１に対する前後方向及び左右方向の移動を規制して位置決めを行う位置決め手段とすべく、内部を挿通されるガスバーナ３０の外径と略同じ内径か若干大きい内径となるように形成してある。
【００１９】
各ガスこんろ部３には、図１に示すように鍋等の被加熱物を受け止め支持するための五徳３１が配設されるもので、トッププレート２０の各ガスこんろ部３に対応する部分上に載置される。また、各ガスこんろ部３には、図示はしないが、こんろバーナに点火する点火装置としての点火プラグと、こんろバーナの着火を検出する着火検出装置としての熱電対が設けられ、点火プラグは、後述する操作つまみ６１からなる点火・消火手動操作部における点火操作によってマイクロコンピュータからなる制御部により点火動作が行われ、熱電対において検出された着火（点火）情報は制御部に認識されて、制御部により点火プラグでの点火処理を終了する。ガスバーナ３０、点火装置、着火検出装置、制御部は本体ケーシング１内に収容される。
【００２０】
各こんろバーナには、都市ガス等のガス燃料を供給する燃料供給路からそれぞれ分岐する分岐供給路が接続してある。燃料供給路には電磁弁が設けてあると共に、各分岐供給路には、ガス燃料の供給量の調節を行うためステッピングモータ等の駆動手段により駆動されて弁体の開度位置の微調整が可能な流量制御弁と、前記弁体の開度位置を検出する位置センサが設けてある。電磁弁及び流量制御弁は、制御部により制御が行われ、位置センサにおける検出情報は制御部によって認識・処理される。また、流量制御弁は、対応するこんろバーナが使用されない時には、流量を零にして遮断状態となるように切り換えられる。
【００２１】
天板部２の前側の枠２１（前枠２１ａという）には、各ガスこんろ部３の点火・消火及び火力調節の操作を行うための操作スピンドル６０が挿通する穴２２が貫通形成してある。本実施形態では、天板部２の前枠２１ａの左右に三つの穴２２が並設してあり、左から順に、左側のガスこんろ部３に対応する操作スピンドル６０が挿通する穴２２、中央のガスこんろ部３に対応する操作スピンドル６０が挿通する穴２２、右側のガスこんろ部３に対応する操作スピンドル６０が挿通する穴２２、となっている。そして、操作スピンドル６０の上端部には、操作つまみ６１が設けられる。
【００２２】
操作つまみ６１は、有蓋筒状をしたつまみ部６１ａと、つまみ部６１ａの内部に下方に向けて突設される筒状の嵌入部６１ｂとを備え、嵌入部６１ｂ内に操作スピンドル６０の上端部が嵌入されることで操作スピンドル６０に固定される。
【００２３】
また、図６に示すように天板部２の前枠２１ａの前記操作スピンドル６０が挿通する穴２２の端縁には、煮汁の侵入防止部材７が設けてある。煮汁の侵入防止部材７は、ゴム材料からなり、天板部２の前枠２１ａの穴２２に取り付けられる筒状をした堰部７１からなるもので、この堰部７１の下端部近傍の外周面に外側に凹となる環状の被嵌部７２を設けてあり、この被嵌部７２を前枠２１ａの穴２２の端縁に被嵌することで該穴２２に取り付けられる。
【００２４】
煮汁の侵入防止部材７を穴２２の端縁に被嵌した状態において、操作スピンドル６０が該煮汁の侵入防止部材７の筒状をした堰部７１を内部を挿通して、その上端部に操作つまみ６１が取り付けられ、操作つまみ６１の筒状をしたつまみ部６１ａの内部に煮汁の侵入防止部材７の堰部７１が位置することとなる。煮汁の侵入防止部材７の堰部７１により、天板部２の上面と操作つまみ６１の下端部との間から侵入した煮汁が、前記穴２２を介して本体ケーシング１内に侵入するのが防止される。また、筒状をした堰部７１と、該堰部７１の内部を挿通する操作スピンドル６０との間には適度な空隙が設けてあり、操作スピンドル６０を容易に挿通し易くして、天板部２の本体ケーシング１への装着を容易にしている。
【００２５】
上記操作つまみ６１を回動操作をすることで、器具栓がＯＮとなって流出するガス燃料にスパーク放電がなされてガスこんろ部３に点火され、操作つまみ６１の回動角度を調節することで、前記回動角度がロータリーエンコーダにより検出されて制御部に認識され、前記回動角度に応じた開度位置となるようにステッピングモータ等の駆動手段により流量制御弁の弁体が駆動されてガス流量が制御され、ガスこんろ部３の火力調整ができ、消火にあたっては、操作つまみ６１を回動操作して元の回動角度に戻すことで、器具栓がＯＦＦとなってガスこんろ部３が消火される。
【００２６】
本体ケーシング１は、上述した本体箱部１１がキッチンカウンターＫに形成した穴Ｈに収容されると共に、本体箱部１１から連設されたフランジ部１２がキッチンカウンターＫの穴Ｈの周縁上面に載置される。そして、本体ケーシング１のフランジ部１２に天板部２が載置される。ここで、本体ケーシング１のフランジ部１２とキッチンカウンターＫの穴Ｈの周縁との間のシールと、本体ケーシング１のフランジ部１２と天板部２との間のシールとを行うシール部材８を設けてある。シール部材８は、本体ケーシング１のフランジ部１２の外周端縁に沿った平面視環状をして内方に凹となる被嵌部８１が形成されるもので、本体ケーシング１のフランジ部１２の外周端縁に被嵌部８１が被嵌されて取り付けられる。
【００２７】
シール部材８をフランジ部１２の外周端縁に取り付けた本体ケーシング１は、本体箱部１１をキッチンカウンターＫの穴Ｈに上方から挿入し、フランジ部１２をキッチンカウンターＫの穴Ｈの周縁上面に載置すると、前記シール部材８の下面がキッチンカウンターＫの穴Ｈの周縁上面に当接することとなり、本体ケーシング１のフランジ部１２とキッチンカウンターＫの穴Ｈの周縁との間のシールが行われる。また、この状態で、本体ケーシング１のフランジ部１２の上面に天板部２を載置すると、天板部２の枠２１の下面が前記フランジ部１２に取り付けたシール部材８の上面に当接し、本体ケーシング１のフランジ部１２と天板部２との間のシールが行われる。
【００２８】
天板部２の後部には、本体ケーシング１の内部にこもる熱気を排出するための通気口２３が形成してあると共に、天板部２の通気口２３を形成した部分には、通気口２３を上側を覆う化粧カバー２４が設けられる。化粧カバー２４は、後方に向けて開放しており、通気口２３から排出された熱気を後方に向けて排気する。化粧カバー２４を設けた天板部２を前方から見ても、化粧カバー２４により通気口２３が見えないため美観が損なわれない。
【００２９】
次に、天板部２の本体ケーシング１への固定について説明する。
【００３０】
本体ケーシング１には、図７に示すように後側のフランジ部１２の左右両側の二箇所において天板部２の通気口２３の近傍に、側面視略Ｌ字状をした後部固定板５１が設けてある。後部固定板５１は、フランジ部１２の上面に固定される横片５１ａと、この横片５１ａの後端部から立設する縦片５１ｂとからなる折曲した板状のもので、縦片５１ｂには前後に貫通してネジ５３が螺着されるネジ孔５１ｃが設けてある。
【００３１】
また天板部２は、後枠２１ｂの前記本体ケーシング１の後部固定板５１の縦片５１ｂに対応する左右の両端部近傍の位置に、前記縦片５１ｂが挿通される挿通口が形成されている。天板部２の後枠２１ｂはその挿通口に本体ケーシング１の後部固定板５１の縦片５１ｂを挿通させて本体ケーシング１の後側のフランジ部１２に載置され、本体ケーシング１の縦片５１ｂに固定具５２を固定することで、固定具５２の下端により天板部２の後枠２１ｂの上方への移動が規制される。固定具５２は、図８に示すように縦片５２ｂ及び横片５２ａからなる側面視略Ｌ字状をしたもので、縦片５２ｂに前後に貫通してネジ５３が挿通される挿通孔５２ｃが形成してある。
【００３２】
天板部２の後枠２１ｂの挿通口に挿通された本体ケーシング１の後部固定板５１の縦片５１ｂに、固定具５２の縦片５２ｂの挿通孔５２ｃにネジ５３を挿通した状態でネジ５３を螺着し、固定具５２を後部固定板５１に固定する。後部固定板５１に固定された固定具５２は、天板部２の後端部に設けた化粧カバー２４の下方に位置する。固定具５２のの下端に位置する横片５２ａにより、天板部２の後枠２１ｂの上面が下方に押されて、天板部２の上方への移動が規制されるものであるが、この固定具５２によっては天板部２の前後方向及び左右方向への移動は規制されない。この後部固定板５１と固定具５２（及びネジ５３）とで、天板部２の本体ケーシング１に対する上下方向の移動を規制する後側の上下移動規制部５が構成されている。
【００３３】
天板部２の本体ケーシング１への固定は、本体ケーシング１内に配置したガスバーナ３０を天板部２のトッププレート２０に形成した開口部２０ａ内に挿通させて上方に露出させると共に、操作スピンドル６０を天板部２の前枠２１ａの穴２２に挿通させて上方に突出させながら、天板部２の後部を降下させて本体ケーシング１の後側のフランジ部１２の上面に載置する。そして、固定具５２を本体ケーシング１の後部固定板５１にネジ５３により固定する。天板部２は、前後方向及び左右方向の移動は開口部２０ａを挿通するガスバーナ３０によって規制されると共に、上方への移動は固定具５２によって固定され、全ての方向が位置固定されて固定状態が維持される。すなわち、天板部２に形成した開口部２０ａと、該開口部２０ａを挿通するガスバーナ３０とによって、天板部２の本体ケーシング１に対する前後方向及び左右方向の移動を規制して、前後方向及び左右方向の位置決めを行う位置決め手段が構成されている。
【００３４】
上記の加熱調理器は、天板部２の本体ケーシング１に対する前後方向及び左右方向の移動の規制は、開口部２０ａを挿通するガスバーナ３０によって行われるため、天板部２の位置決めのための製作上の寸法管理が容易となる。すなわち、天板部２の本体ケーシング１への固定は、本体ケーシング１の後部固定板５１への固定具５２の固定であって、上下方向の移動が規制されるのみで、精緻さが要求されない。すなわち、本体ケーシング１や天板部２を構成する部品の寸法に多少のばらつきがあっても、天板部２の本体ケーシング１への固定が容易に行えると共に、寸法精度が過剰に要求されないため、高精度の加工を行うことによる製造コストの増大を防止することができる。
【００３５】
また、天板部２は、枠２１の下面が前記フランジ部１２に取り付けたシール部材８の上面に載置されるが、後側の固定具５２によって上方への移動が規制されるため、シール部材８の反発力によって天板部２が上方に移動してしまうことが抑制され、シール性と美観とを維持することができる。
【００３６】
また、固定具５２はネジ５３により後部固定板５１に固定されるが、この時の固定具５２の前後方向の移動によっても天板部２の位置が移動することはないため、作業性が良いものである。
【００３７】
また、固定具５２は、天板部２とは別体であってしかも天板部２よりも小さく且つ軽いため取り扱いが容易で、この点においても作業性が良いものである。
【００３８】
また、後部固定板５１に固定された固定具５２は、天板部２の後端部に設けた化粧カバー２４の下方に位置するため、前側から見えず美観が損なわれないと共に、後方より固定具５２を取り付ける作業を行うことができて作業性が良いものである。
【図面の簡単な説明】
【００３９】
【図１】本発明のキッチンカウンターに取り付けた加熱調理器（ガスこんろ）を示し、（ａ）は平面図であり、（ｂ）は正面図であり、（ｃ）は側面図である。
【図２】同上の天板部と本体ケーシングの固定を説明する概略側断面図である。
【図３】同上の加熱調理器の斜視図である。
【図４】同上の本体ケーシングの平面図である。
【図５】同上の天板部の正面図である。
【図６】同上の天板部と本体ケーシングの前側の固定を説明する拡大側断面図である。
【図７】同上の天板部と本体ケーシングの後側の固定を説明する拡大側断面図である。
【図８】同上の固定具を示し、（ａ）は正面図であり、（ｂ）は側面図である。
【符号の説明】
【００４０】
１    本体ケーシング
１１  本体箱部
１２  フランジ部
２    天板部
２０  トッププレート
２１  枠
２１ａ  前枠
２１ｂ  後枠
２３  通気口
２４  化粧カバー
３    ガスこんろ部
３０  ガスバーナ
５    後側の上下移動規制部
５１  後部固定板
５２  固定具
５３  ネジ
【図１】
0005096890.tif 000002
【図２】
0005096890.tif 000003
【図３】
0005096890.tif 000004
【図４】
0005096890.tif 000005
【図５】
0005096890.tif 000006
【図６】
0005096890.tif 000007
【図７】
0005096890.tif 000008
【図８】
0005096890.tif 000009